(57)【特許請求の範囲】
【請求項１】
上面に開口部を有して、内部に液浸物を収納する容器本体と、開口部を被覆するように容器本体の開口縁部に密着・剥離可能に貼着したフィルム状の内蓋と、内蓋の上部で開口部を被覆するように容器本体に取り付けた外蓋とからなる液浸物の密閉容器において、
容器本体の開口縁部の外周側に開口縁部と連接して外方、かつ、上方に拡開する傾斜面が付与された段部を形成し、容器本体の段部に密接する段部を外蓋に形成し、容器本体の段部と外蓋の段部に、相互に噛み合う凸状のリブをそれぞれ外側に向けてエンドレスに突設し、かつ、容器本体の開口縁部に凸状のリブを上方に向けてエンドレスに突設し、開口縁部に突設されたリブを挟むように開口縁部と対応して密接する外蓋の内面に凸状のリブを下方に向けてエンドレスに突設してなり、外蓋と容器本体を連接する位置にラベルを貼着し、該連接された外蓋と容器本体及びラベルによって外蓋を容器本体から開閉する際のヒンジ部を構成して、該ヒンジ部を支点として外蓋の一端が回動して容器本体に密接・離反自在とするとともに、容器本体と外蓋の材質として可撓性，可塑性を有する合成樹脂材を使用し、該合成樹脂材の硬度を容器本体と外蓋とで異ならしめたことを特徴とする液浸物の密閉容器。
【請求項２】
容器本体の材質として軟質乃至は中硬質の樹脂を使用し、外蓋の材質として硬質の樹脂を使用した請求項１記載の液浸物の密閉容器。
【請求項３】
容器本体の材質として硬質の樹脂を使用し、外蓋の材質として軟質乃至は中硬質の樹脂を使用した請求項１記載の液浸物の密閉容器。
【請求項４】
内蓋をヒートシールによって容器本体の開口縁部に固着した請求項１，２又は３記載の液浸物の密閉容器。
【請求項５】
内蓋を感圧接着剤によって容器本体の開口縁部に繰り返して開閉可能に貼着した請求項１，２又は３記載の液浸物の密閉容器。
【請求項６】
外蓋を開閉操作するためのつまみ片を外蓋に形成した請求項１，２，３，４又は５記載の液浸物の密閉容器。
【請求項７】
内蓋を開閉操作するためのつまみ片を内蓋に形成した請求項１，２，３，４，５又は６記載の液浸物の密閉容器。
【請求項８】
硬質の樹脂として、硬質樹脂の内面にシール性を有する軟質乃至は中硬質の樹脂を複合一体化した２層構造フィルムを使用した請求項２，３，４，５，６又は７記載の液浸物の密閉容器。
【請求項９】
軟質乃至は中硬質の樹脂としてポリエチレン（ＰＥ），ポリプロピレン（ＰＰ）、ＥＶＡ又はこれらの複合樹脂を用い、硬質の樹脂としてポリエチレンテレフタレート（ＰＥＴ），ポリ塩化ビニル樹脂（硬質ＰＶＣＬ），アクリル，スチロール，アクリルスチロール（ＡＳ），アクリルブタジエンスチロール（ＡＢＳ）又はこれらの複合樹脂を用いた請求項２，３，４，５，６，７又は８記載の液浸物の密閉容器。
【発明の詳細な説明】
【０００１】
【発明の属する技術分野】
本発明は液浸物の密閉容器に関し、特には消毒用のアルコールを含浸させた脱脂綿やガーゼ，不織布その他の液浸物を液密性を保持して密封収納して、使用時には該液浸物を取り出すために蓋部材を繰り返して開閉操作することができて、液浸物の密封性と保存性に優れ、取り扱いの容易な液浸物の密閉容器に関するものである。
【０００２】
【従来の技術】
従来から病院とか診療所等では、広口ビンでなるガラス容器に脱脂綿とかガーゼ，不織布その他の液浸物を入れ、消毒用アルコールを含浸させて使用に供している。また、予め脱脂綿等の液浸物に消毒用アルコールを含浸させた市販の消毒剤も提供されている。市販の消毒剤は上記消毒用アルコールを含浸した液浸物を袋詰めにした製品とか、プラスチック製の容器に液浸物を詰めた製品が一般に用いられている。
【０００３】
その他、水性又は油性の薬剤等を紙，織布，不織布に含浸させて水分不透過性の袋に詰めたウエットティッシュの包装体とか、食品とか化粧品，薬品等の密封性が要求される包装体として、取り扱いが容易な柔軟な材料で構成された容器を用いて包装体を構成した例が一般に採用されている。
【０００４】
上記に関し、特開平１１−２６８７６５号公報には、容易に変形可能に形成され上方が開口された箱体と、この箱体の上方の開口部を密封状態に覆ったフィルム状の覆い部材と、この覆い部材に形成され、箱体内の収容物を取り出し可能な開口部と、この開口部の周囲に粘着して内部を密閉する開閉自在に設けられた蓋部材とを備えた密閉容器例が開示されている。また、蓋部材の一側縁部に切込線を形成するとともに該切込線の一部に、その切込線に対して直角方向に突起部を形成した構成も開示されている。
【０００５】
かかる密閉容器によれば、蓋部材の繰り返し開閉操作が可能となって衛生的であるとともに、保管，持ち運びに便利であり、更に蓋部材の切込線に突起部を形成したことにより、蓋を開いた状態で維持することができて、操作性を高めた密閉容器が得られる。
【０００６】
【発明が解決しようとする課題】
しかしながら、病院等で用いられているガラス容器に脱脂綿とかガーゼ，不織布その他の液浸物を入れて消毒用アルコールを含浸させた密閉容器は、使用の都度ガラス容器の蓋部材を手操作により外してピンセットにより液浸物を取り出し、その後アルコールの揮発を防止するため、直ちに蓋部材を被せて閉止する操作が必要であり、多くの場合、両手を使用した煩瑣な開閉動作を要するため、作業能率の低下を招いてしまうという課題がある。また、手作りのため大量生産が困難であり、流通過程に載せることも困難である。そのため、必要量を病院内で自製する必要があり負担となっている。その他脱脂綿等の液浸物に消毒用アルコールを含浸させた袋詰めの製品及びプラスチック製の容器に液浸物を詰めた製品の場合でも操作面からみてほぼ同様の問題点がある。
【０００７】
前記特開平１１−２６８７６５号公報に記載された密閉容器は、箱体上方の開口を密封する覆い部材と、この覆い部材に形成された開口部の周囲に粘着して開閉自在に設けられた蓋部材との二重構造となっているため、構成が複雑であるとともに覆い部材に形成された開口部の面積が箱体の開口部よりも小さくなってしまうため、箱体内部に収納された液浸物が取り出し難く、かつ、取り出し時に液浸物が覆い部材の開口縁部に触れて水性又は油性の薬剤により蓋部材の粘着性が低下する惧れがある。
【０００８】
そこで本発明は上記の問題点を解決して、液浸物を取り出す開口部の面積が容器本体の開口部と同一の大きさを有して内部に収納された液浸物を容易に取り出すことができるとともに煩瑣な開閉操作を不要として作業能率を高め、取り出し時に薬剤によって外蓋の接着性が低下することが防止されるとともに、大量生産及び流通に適した液浸物の密閉容器を提供することを目的とするものである。
【０００９】
【課題を解決するための手段】
本発明は上記目的を達成するために、上面に開口部を有して、内部に液浸物を収納する容器本体と、開口部を被覆するように容器本体の開口縁部に密着・剥離可能に貼着したフィルム状の内蓋と、内蓋の上部で開口部を被覆するように容器本体に取り付けた外蓋とからなる液浸物の密閉容器において、容器本体の開口縁部の外周側に開口縁部と連接して外方、かつ、上方に拡開する傾斜面が付与された段部を形成し、容器本体の段部に密接する段部を外蓋に形成し、容器本体の段部と外蓋の段部に、相互に噛み合う凸状のリブをそれぞれ外側に向けてエンドレスに突設し、かつ、容器本体の開口縁部に凸状のリブを上方に向けてエンドレスに突設し、開口縁部に突設されたリブを挟むように開口縁部と対応して密接する外蓋の内面に凸状のリブを下方に向けてエンドレスに突設してなり、外蓋と容器本体を連接する位置にラベルを貼着し、該連接された外蓋と容器本体及びラベルによって外蓋を容器本体から開閉する際のヒンジ部を構成して、該ヒンジ部を支点として外蓋の一端が回動して容器本体に密接・離反自在とするとともに、容器本体と外蓋の材質として可撓性，可塑性を有する合成樹脂材を使用し、該合成樹脂材の硬度を容器本体と外蓋とで異ならしめた液浸物の密閉容器を基本構成としている。
【００１０】
また、容器本体の材質として軟質乃至は中硬質の樹脂を使用し、外蓋の材質として硬質の樹脂を使用する。容器本体の材質として硬質の樹脂を使用し、外蓋の材質として軟質乃至は中硬質の樹脂を使用する。
【００１１】
更に、内蓋をヒートシールによって容器本体の開口縁部に固着し、或いは内蓋を感圧接着剤によって容器本体の開口縁部に繰り返して開閉可能に貼着した。
【００１２】
また、外蓋を開閉操作するためのつまみ片を外蓋に形成し、内蓋を開閉操作するためのつまみ片を内蓋に形成し、硬質の樹脂として、硬質樹脂の内面にシール性を有する軟質乃至は中硬質の樹脂を複合一体化した２層構造フィルムを使用した。
【００１３】
そして、軟質乃至は中硬質の樹脂としてポリエチレン（ＰＥ），ポリプロピレン（ＰＰ）、ＥＶＡ又はこれらの複合樹脂を用い、硬質の樹脂としてポリエチレンテレフタレート（ＰＥＴ），ポリ塩化ビニル樹脂（硬質ＰＶＣＬ），アクリル，スチロール，アクリルスチロール（ＡＳ），アクリルブタジエンスチロール（ＡＢＳ）又はこれらの複合樹脂を用いてある。
【００１４】
かかる液浸物の密閉容器によれば、使用者が容器本体内に密閉収納された液浸物を取り出す際に、外蓋のつまみ片を把持して引き上げることにより、容器本体の段部と外蓋の段部のリブの噛み合い状態が外れて外蓋がヒンジ部を支点として回動し、或いは取り去られて容器本体の上面開口部が露出する。そこで使用者はフィルム状の内蓋のつまみ片を把持して内蓋を剥離して取り去り、或いは破断することによって、内蓋に被覆された上面開口部を開口させ、容器本体に収納された液浸物を取り出して使用することができる。初めて使用する際には内蓋が容器本体の上面開口部を覆っているため、この内蓋の存在によって密閉容器が未使用品であることを認識することができる。
【００１５】
次に外蓋を閉じて元の密閉状態に戻すには、内蓋を元の状態に戻し、或いは取り去ったままの状態で外蓋の上面を片手で押さえて容器本体方向に押し戻すことにより、外蓋がヒンジ部により回動して容器本体の開口部を覆う位置に達し、容器本体の段部に突設された凸状のリブと外蓋の段部に突設された凸状のリブとが相互に噛み合って外蓋の位置決めが行われる。そして、外蓋の被覆後は容器本体の開口縁部に突設された凸状のリブと、該リブを挟む位置の外蓋に形成された凸状のリブによる密閉作用及び容器本体と外蓋の材質が有する密着性によって液浸物に含浸された消毒用アルコール等の揮散物の蒸散を防止することができる。
【００１６】
また、フィルム状の内蓋の周縁部を容器本体の開口縁部に感圧接着剤を利用した接着部により接着固定したことにより、容器本体の開口縁部が露出してから内蓋のつまみ片を把持して引き上げることにより容器本体内の液浸物を取り出して利用に供することができる。内蓋の周縁部を容器本体の開口縁部に押し戻すことによって感圧接着剤の作用によって接着部が形成されるので、最小限の感圧接着剤によって内蓋を繰り返し開閉操作することが可能であり、外蓋を閉じた後はリブによる密閉作用とともに揮散物の蒸散を防止することができる。
【００１７】
【発明の実施の形態】
以下図面に基づいて本発明にかかる液浸物の密閉容器の実施の形態を説明する。図１は本発明を適用した液浸物の密閉容器１の斜視図であり、図２は外蓋を開いた状態を全体的に示す斜視図、図３は図１のＡ−Ａ線に沿う断面図、図４は外蓋３を開いた状態の後面図である。図中の２は容器本体、３は容器本体２の上面開口部を覆う位置にあって該容器本体２に密接・離反自在に取り付けられた外蓋、４は容器本体２の開口縁部に貼着されたフィルム状の内蓋である。容器本体２は上面に開口部を有しているとともに内部に液浸物を収納できる所定の容積を有しており、その形状は図示例のように上面開口部の面積を底面の面積よりも大きくした側面視が逆台形状の箱状とするか、或いは平面視が円形，楕円形，多角形等の任意の形状とする。
【００１８】
液浸物の容器本体２の材質として軟質乃至は中硬質の樹脂を使用し、外蓋３の材質として硬質の樹脂を使用するか、或いは容器本体２の材質として硬質の樹脂を使用し、外蓋３の材質として軟質乃至は中硬質の樹脂を使用する。即ち、容器本体２と外蓋３として使用する可撓性，可塑性を有する合成樹脂材の材質の硬度を容器本体２と外蓋３とで異ならしめている。これにより、容器本体２と外蓋３とが密着することとなり、密閉容器としての密封性を高めることができる。更に、硬質の樹脂として、硬質樹脂の内面にシール性を有する軟質乃至は中硬質の樹脂を複合一体化した２層構造フィルム、例えばポリエチレンテレフタレート（ＰＥＴ）の内面にポリエチレン（ＰＥ）を複合した２層構造フィルムを使用することにより更に密着性を高めることができる。
【００１９】
軟質乃至は中硬質の樹脂としてはポリエチレン（ＰＥ），ポリプロピレン（ＰＰ）、ＥＶＡ又はこれらの複合樹脂が適当であり、硬質の樹脂としてはポリエチレンテレフタレート（ＰＥＴ），ポリ塩化ビニル樹脂（硬質ＰＶＣＬ），アクリル，スチロール，アクリルスチロール（ＡＳ），アクリルブタジエンスチロール（ＡＢＳ）又はこれらの複合樹脂が適当である。例えば、適当な組み合わせとして容器本体２としてポリプロピレン（ＰＰ）を、外蓋３としてポリエチレンテレフタレート（ＰＥＴ）を使用することができ、更に容器本体２として強度を最適に維持するためにＰＰ＋ＥＶＡ＋ＰＰの三層構造の素材を、外蓋３として前記したＰＥＴの内面にＰＥを複合した２層構造フィルムを使用することができる。なお、これらの合成樹脂材の厚さは０．２〜１ｍｍ程度が適当であるが、特に限定はない。この合成樹脂材を真空成形により前記した任意の形状を有する容器本体２及び外蓋３として成形するのがよい。
【００２０】
また、内蓋４としては可撓性を有して容器本体２に密着・剥離可能な薄膜が選択されており、図２に示す例では容器本体２の開口縁部２ａにヒートシール手段によって固着されている。４ａはつまみ片であり、内蓋４を剥離する際の取っ手として使用するのであり、内蓋４から突出して開口縁部２ａからはみ出ており、ヒートシールされていない。なお、内蓋４は液密性とガスバリヤー性のある素材であれば良く、材質は特に限定されない。
【００２１】
図３に示したように、容器本体２の開口縁部２ａの外周側には開口縁部２ａと連接して外方、かつ、上方に拡開する傾斜面が付与された段部２ｂが形成されており、この段部２ｂに対応する部位の外蓋３にも段部２ｂに密接する同様な段部３ｂが形成されている。そして外蓋３の上面で一方側の段部３ｂの上面と側面を覆う位置にラベル５が貼着されている。このラベル５と外蓋３の段部３ｂとによって該外蓋３を容器本体２から開閉する際のヒンジ部６が構成されている。また、ヒンジ部６は容器本体２と外蓋３とを一体成形することによって形成することも可能である。更に、ラベル５を外蓋のみに貼着し、ヒンジ部６を形成することを省略することも可能である。ラベル５としては可撓性及び可塑性を有するプラスチックフィルム、或いは該プラスチックフィルムにアルミ箔を蒸着したフィルム、又はプラスチックフィルムに紙、不織布等を接合したものを用いることができる。なお、これらの段部２ｂと３ｂは相互に密着できる構成であればよく、傾斜の角度方向は自在のものでよく、又傾斜していない略直立した構成とすることも可能である。
【００２２】
また、ラベル５が貼着されていない側の外蓋３の左右両端部には、外蓋３を開閉操作するためのつまみ片３ａ，３ａが形成されており、このつまみ片３ａ，３ａは対応する容器本体２の左右両端部から突出した構成となっている。即ち、つまみ片３ａ，３ａに対応する部分には容器本体２の左右両端部は位置していない。
【００２３】
図５に示したように、容器本体２の開口縁部２ａの略中心位置に凸状のリブ８が上方に向けてエンドレスに突設されており、この開口縁部２ａと対応する外蓋３の該リブ８を挟む位置に、同様な凸状のリブ９，９が下方に向けてエンドレスに突設されている。このリブ８とリブ９は、容器本体２内に収納される液浸物に含浸された消毒用アルコール等の不使用時の蒸散を防止する機能を有している。
【００２４】
更に容器本体２の段部２ｂの略中心位置には外側に向けて凸状のリブ１０がエンドレスに突設されており、この段部２ｂに対応する外蓋３の段部３ｂの略中心位置にも外側に向けて凸状のリブ１１がエンドレスに突設されている。このリブ１０とリブ１１は容器本体２に対する外蓋３の密閉時に相互に噛み合って外蓋３の位置決めを行うとともに被覆動作を確実にする機能を有している。
【００２５】
図６及び図７は外蓋３のつまみ片３ａの他例を示すものであり、図６の例ではつまみ片３ａを外蓋３の中央部に突設し、容器本体２側にもつまみ片３ａと対応する支持片２ｃが突設されている。図７の例は容器本体２側の支持片２ｃを挟む位置に一対のつまみ片３ａ，３ａを形成した例である。
【００２６】
容器本体２内に収納する液浸物の一例として、消毒用の脱脂綿やガーゼ等が含有する薬剤例を簡単に述べると、外皮消毒剤及び皮膚、粘膜・口腔の清浄及び清拭用として塩化ベンザルコニウム，塩化ベンザトニウム，グリコン酸クロルヘキシジン，アクリノール，エタノール，過酸化水素，ポピドンヨード，ヨードチンキがある。本発明の利用分野は前記アルコールを含浸させた脱脂綿やガーゼ等の液浸物に限定されず、例えば水性又は油性の薬剤等を紙，織布，不織布に含浸して得られたウエットティッシュ用の密閉容器、更には食品とか化粧品，薬品等の密封性が要求され、蓋部材が繰り返して開閉使用されるものであればどのようなものであってもよい。
【００２７】
かかる構成によれば、使用者が密閉容器１を利用して容器本体２内に密閉収納された脱脂綿やガーゼ等の液浸物を取り出して使用する際に、外蓋３の両端部に設けたつまみ片３ａを把持して引き上げることにより、リブ１０とリブ１１の噛み合い状態が外れて外蓋３がヒンジ部６を支点として回動して容器本体２の上面開口部が露出する。なお、ヒンジ部６を形成していない場合には外蓋３を取り去るようにする。
【００２８】
次に、使用者は容器本体２の開口縁部２ａにヒートシールによって固着されたフィルム状の内蓋４のつまみ片４ａを把持して内蓋４を開くことによって容器本体２の上面開口部が大きく開くので、容易に液浸物を取り出して使用に供することができる。初めて使用する際には内蓋４が容器本体２の上面開口部を覆っているため、この内蓋４の存在によって密閉容器１が未使用品であることを認識することができる。よって内蓋４はバージンシールとしての機能を有する。この内蓋４は完全に剥離して取り去ってもよく、或いは取り出しに必要な開口部を形成した後に一部を開口縁部に固着したままとして使用してもどちらでもよい。内蓋４を残しておいた場合には収納時に再度被覆して使用することも可能である。
【００２９】
次に外蓋３によって容器本体２の開口部を塞いで元の密閉状態に戻すには、外蓋３の上面を片手で押さえて容器本体２方向に押し戻すことにより、外蓋３がヒンジ部６を支点として回動して、或いは再度被覆されることにより容器本体２の開口部を覆う位置に達し、容器本体２の段部２ｂに突設された凸状のリブ１０と外蓋３の段部３ｂに突設された凸状のリブ１１とが相互に噛み合って外蓋３の位置決めが行われ、該外蓋３の被覆動作が行われるとともに、外蓋３の被覆後は容器本体２の開口縁部２ａに突設された凸状のリブ８と、該リブ８を挟む位置の外蓋３に形成された凸状のリブ９，９による密閉作用によって液浸物に含浸された消毒用アルコール等の揮散物の蒸散を確実に防止することができるように密着する。このとき前記したように容器本体２と外蓋３の材料樹脂の硬度を異ならしめているため、より密着性が高い。このとき内蓋４を完全に取り去っていたとしても、容器本体２と外蓋３によって密封性・液密性を保てるため、使い終わるまで十分な期間、内容物は乾燥することがなく、良好な使用状態を保つことができる。なお、特に上記の密閉容器１は、接着剤を使用していないことが特徴の一つとなっている。
【００３０】
図６に示したように外蓋３のつまみ片３ａの位置をずらして容器本体２側に支持片２ｃを形成するか、図７に示したように容器本体２側の支持片２ｃを挟む位置に一対のつまみ片３ａ，３ａを形成したことによって外蓋３のつまみ片３ａを把持して引き上げる際の操作性を高めることができる。
【００３１】
図８は本発明の他の実施形態を示すものであって容器本体２から外蓋３を取り外した状態を示す平面図である。この例では容器本体２の上面開口部を被覆するフィルム状の内蓋４の周縁部が容器本体２の開口縁部２ａに感圧接着剤を利用した接着部１２により接着固定されている。４ａは内蓋４の一端に形成されたつまみ片である。このつまみ片４ａは感圧接着剤を利用した接着部１２によって接着固定されていない。なお、接着部１２は開口縁部２ａではなく、内蓋４内面の開口縁部２ａに密接する部分に形成してもよい。
【００３２】
かかる実施形態によれば、使用者が密閉容器１を利用する際に、外蓋３の一端に設けたつまみ片３ａを片手で把持して引き上げることによって外蓋３がヒンジ部６を支点として回動して容器本体２の上面開口部を覆う内蓋４が露出するので、その後内蓋４のつまみ片４ａを把持して引き上げることにより接着部１２から内蓋４が剥離して容器本体２の上面開口部が大きく開くので、容器本体２内の液浸物を取り出して利用に供することができる。利用後はフィルム状の内蓋４の周縁部を容器本体２の開口縁部２ａに押し戻すことによって感圧接着剤の作用によって接着部１２が形成されるので、前記例と同様に外蓋３の上面を容器本体２方向に押し戻すことによって外蓋３がヒンジ部６を支点として回動して容器本体２の開口部を覆う位置に達し、容器本体２の段部２ｂに突設された凸状のリブ１０とリブ１１の噛み合いによって外蓋３の被覆動作が行われ、被覆後は内蓋４と容器本体２との接着作用とリブ８と９，９による密閉作用とによって揮散物の蒸散を防止することができる。この実施形態による密閉容器１は内蓋４の周縁部のみが容器本体２の開口縁部２ａに感圧接着剤を用いて接着固定されているため、最小限の感圧接着剤を用いて内蓋４を繰り返し開閉操作することができる。
【００３３】
【発明の効果】
以上詳細に説明したように、本発明によれば使用者が容器本体内の液浸物を取り出す際には、蓋体の一端に形成したつまみ片を片手で把持して引き上げることによって外蓋と容器本体との段部のリブの噛み合い状態が外れて外蓋がヒンジ部を支点として回動して容器本体の上面開口部が露出するので、使用者は容器本体の開口部を被覆しているフィルム状の内蓋を破断することによって容器本体の上面開口部が大きく開いて液浸物を取り出して使用することができる。内蓋は容器本体の開口部を被覆しており、その面積は容器本体の開口部の面積と同じ大きさであるため、液浸物の取り出しが容易であり、取り出し時に液浸物が開口縁部に触れて薬剤によって蓋部材の粘着性が低下する惧れがない。
【００３４】
外蓋を閉じて元の密閉状態に戻した際には、外蓋が容器本体の開口部を覆う位置に達して容器本体と外蓋の段部に突設された凸状のリブが相互に噛み合うとともに容器本体の開口縁部に突設された凸状のリブと、該リブを挟む位置の外蓋に形成された凸状のリブによる密閉作用によって液浸物に含浸された揮散物の蒸散を防止することができる。
【００３５】
更に内蓋の周縁部を容器本体の開口縁部に感圧接着剤を利用して接着固定したことにより、内蓋のつまみ片を把持して引き上げることにより該内蓋が容器本体から剥離して液浸物を取り出して利用に供することができる。使用後には内蓋の周縁部を容器本体の開口縁部に押し戻すことによって最小限の感圧接着剤の作用によって接着部が形成されて容器本体が密閉されるので、操作が容易であるとともに再度の使用時には内蓋を繰り返して開閉することができる。また、外蓋を閉じた後はリブによる密閉作用とともに揮散物の蒸散を防止することができる。
【００３６】
従って本発明によれば、構成が簡易化されているとともに外蓋と内蓋の開閉操作を容易として密閉容器内部に収納された液浸物を取り出すことができて作業能率を高め、かつ、取り出し時に薬剤によって外蓋と内蓋の接着性が低下することがなく、大量生産及び流通に適した液浸物の密閉容器を提供することができる。
【図面の簡単な説明】
【図１】  本発明を適用した液浸物の密閉容器を全体的に示す斜視図。
【図２】外蓋を開いた状態を全体的に示す斜視図。
【図３】図１のＡ−Ａ線に沿う断面図。
【図４】外蓋を開いた状態の後面図。
【図５】図３の要部拡大図。
【図６】本発明の他の実施形態を示す要部拡大斜視図。
【図７】本発明の他の実施形態を示す斜視図。
【図８】本発明の他の実施形態を示す平面図。
【符号の説明】
１…密閉容器
２…容器本体
２ａ…開口縁部
２ｂ，３ｂ…段部
２ｃ…支持片
３…外蓋
４…内蓋
５…ラベル
６…ヒンジ部
３ａ，４ａ…つまみ片
８，９，１０，１１…リブ
１２…接着部
整理番号  Ｐ３１８５
【図１】
0004547081.tif 000002
【図２】
0004547081.tif 000003
【図３】
0004547081.tif 000004
【図４】
0004547081.tif 000005
【図５】
0004547081.tif 000006
【図６】
0004547081.tif 000007
【図７】
0004547081.tif 000008
【図８】
0004547081.tif 000009